(57)【要約】【課題】単芯線電線を長い領域に亘ってパイプで保護する。【解決手段】導電路は、単芯線１１の一方の端部１３と他方の端部１６を露出させた単芯線電線１０と、第１撚り線用絶縁被覆２２を除去して露出させた第１撚り線２１の端部が、単芯線１１の一方の端部１３に同軸状に固着された第１撚り線電線２０と、第２撚り線用絶縁被覆２５を除去して露出させた第２撚り線２３の端部が、単芯線１１の他方の端部１６に同軸状に固着された第２撚り線電線２３と、単芯線電線１０と第１撚り線電線２３を包囲可能な内径寸法を有し、単芯線電線１０のみを包囲する保護位置と、単芯線１１の一方の端部１３と第１撚り線電線２０とを包囲して単芯線１１の他方の端部１６を露出させる露出位置との間で変位可能なパイプ２６とを備える。【選択図】図１
2018063764.tif 000002
【特許請求の範囲】
【請求項１】
単芯線を単芯線用絶縁被覆で包囲した形態であり、前記単芯線用絶縁被覆を除去して前記単芯線の一方の端部と他方の端部を露出させた単芯線電線と、
第１撚り線を第１撚り線用絶縁被覆で包囲した形態であり、前記第１撚り線用絶縁被覆を除去して露出させた前記第１撚り線の端部が、前記単芯線の前記一方の端部に同軸状に固着された第１撚り線電線と、
第２撚り線を第２撚り線用絶縁被覆で包囲した形態であり、前記第２撚り線用絶縁被覆を除去して露出させた前記第２撚り線の端部が、前記単芯線の前記他方の端部に同軸状に固着された第２撚り線電線と、
前記単芯線電線と前記第１撚り線電線を包囲可能な内径寸法を有し、前記単芯線電線のみを包囲する保護位置と、前記単芯線の前記一方の端部と前記第１撚り線電線とを包囲して前記単芯線の前記他方の端部を露出させる露出位置との間で、軸線方向に変位可能なパイプとを備えていることを特徴とする導電路。
【請求項２】
前記単芯線がアルミニウム又はアルミニウム合金からなり、前記第１撚り線が銅又は銅合金からなっていることを特徴とする請求項１記載の導電路。
【請求項３】
前記単芯線の前記一方の端部は、前記第１撚り線が固着された第１固着領域と、前記第１固着領域と前記単芯線用絶縁被覆との間の第１露出領域とを含み、
前記単芯線の前記他方の端部は、前記第２撚り線が固着された第２固着領域と、前記第２固着領域と前記単芯線用絶縁被覆との間の第２露出領域とを含み、
前記パイプが前記保護位置にある状態では、前記第１固着領域と前記第２固着領域のみが前記パイプの外部に露出していることを特徴とする請求項１又は請求項２記載の導電路。
【発明の詳細な説明】
【技術分野】
【０００１】
本発明は、導電路に関するものである。
【背景技術】
【０００２】
特許文献１には、単芯線電線の両端に撚り線電線を接続した車両用の導電路が開示されている。単芯線電線は、導体が単芯線なので曲げ変形させ難いのであるが、電気抵抗を同じとした場合に外径を撚り線電線より小さくできるので、車体の床下のような低背スペースに配索される。撚り線電線は、導体が撚り線なので外径が単芯線電線より大きいのであるが、屈曲変形させ易いので、エンジンルーム内や車内リヤスペースのような狭いスペース内で屈曲した経路で配索される。単芯線電線の両端部では、絶縁被覆を除去することにより単芯線が露出されている。撚り線電線の端部では、絶縁被覆を除去することにより撚り線が露出されている。そして、単芯線の両端部に、夫々、撚り線が溶着により同軸状に固着されている。
【先行技術文献】
【特許文献】
【０００３】
【特許文献１】特開２０１６−０５８１３７号公報
【発明の概要】
【発明が解決しようとする課題】
【０００４】
単芯線は、柔軟性が低いため、外力が作用したときに折損することが懸念される。この対策としては、単芯線電線を剛性の高いパイプ内に挿通し、外力が単芯線電線に直接作用しないようにすることが考えられる。しかし、単芯線に撚り線を溶着するためには、単芯線の両端部のうち、撚り線との固着領域だけでなく、固着装置の設備との干渉回避のための余長領域を露出させておく必要がある。そのため、パイプで単芯線の両端部を包囲することができない。
【０００５】
本発明は上記のような事情に基づいて完成されたものであって、単芯線電線を長い領域に亘ってパイプで保護可能な導電路を提供することを目的とする。
【課題を解決するための手段】
【０００６】
本発明は、
単芯線を単芯線用絶縁被覆で包囲した形態であり、前記単芯線用絶縁被覆を除去して前記単芯線の一方の端部と他方の端部を露出させた単芯線電線と、
第１撚り線を第１撚り線用絶縁被覆で包囲した形態であり、前記第１撚り線用絶縁被覆を除去して露出させた前記第１撚り線の端部が、前記単芯線の前記一方の端部に同軸状に固着された第１撚り線電線と、
第２撚り線を第２撚り線用絶縁被覆で包囲した形態であり、前記第２撚り線用絶縁被覆を除去して露出させた前記第２撚り線の端部が、前記単芯線の前記他方の端部に同軸状に固着された第２撚り線電線と、
前記単芯線電線と前記第１撚り線電線を包囲可能な内径寸法を有し、前記単芯線電線のみを包囲する保護位置と、前記単芯線の前記一方の端部と前記第１撚り線電線とを包囲して前記単芯線の前記他方の端部を露出させる露出位置との間で、軸線方向に変位可能なパイプとを備えているところに特徴を有する。
【発明の効果】
【０００７】
本発明の導電路を製造する際には、まず、単芯線の一方の端部に第１撚り線を固着し、次に、パイプを露出位置へ移動させて、単芯線の他方の端部を露出させる。この状態で、単芯線の他方の端部に第２撚り線を固着した後、露出位置のパイプを保護位置まで移動させる。パイプを露出位置から保護位置へ移動させるのに伴い、単芯線電線のうちパイプで包囲される領域が拡大するので、単芯線電線を長い領域に亘ってパイプで保護することができる。
【図面の簡単な説明】
【０００８】
【図１】実施例１の導電路の一部切欠側面図
【図２】単芯線と第１撚り線を固着した直後の状態をあらわす一部切欠側面図
【図３】単芯線と第２撚り線を固着した直後の状態をあらわす一部切欠側面図
【発明を実施するための形態】
【０００９】
本発明は、前記単芯線がアルミニウム又はアルミニウム合金からなり、前記第１撚り線が銅又は銅合金からなっていてもよい。電気抵抗を同じとした場合、第１撚り線の外径は、同一材料の単芯線に比べて大きくなる。この点に鑑みて、第１撚り線の材料を、単芯線の材料であるアルミニウムやアルミニウム合金より電気抵抗率の小さい銅又は銅合金とした。これにより、第１撚り線電線の外径が小径化されるので、パイプの外径も小さくすることができ、単芯線電線の配索に必要なスペースを低背化できる。
【００１０】
本発明は、前記単芯線の前記一方の端部は、前記第１撚り線が固着された第１固着領域と、前記第１固着領域と前記単芯線用絶縁被覆との間の第１露出領域とを含み、前記単芯線の前記他方の端部は、前記第２撚り線が固着された第２固着領域と、前記第２固着領域と前記単芯線用絶縁被覆との間の第２露出領域とを含み、前記パイプが前記保護位置にある状態では、前記第１固着領域と前記第２固着領域のみが前記パイプの外部に露出していてもよい。この構成によれば、第１撚り線電線と第２撚り線電線が曲げて配索されるときに、第１撚り線電線と第２撚り線電線がパイプの端部と干渉せずに済む。
【００１１】
＜実施例１＞
以下、本発明を具体化した実施例１を図１〜図３を参照して説明する。本実施例１の導電路は、１本の単芯線電線１０と、１本の第１撚り線電線２０と、１本の第２撚り線電線２３と、１本のパイプ２６とを備えて構成されている。
【００１２】
＜単芯線電線１０＞
単芯線電線１０は、アルミニウム又はアルミニウム合金からなる円形断面の単芯線１１と、単芯線１１を包囲する円筒形の単芯線用絶縁被覆１２とを備え、一直線状に延びている。単芯線電線１０の一端部では、単芯線用絶縁被覆１２が除去され、単芯線１１の一方の端部１３が一定の長さに亘って露出している。単芯線電線１０を構成する単芯線１１は曲げ変形させ難いのであるが、電気抵抗を同じとした場合に単芯線１１と撚り線とを比較すると、単芯線１１の外径を撚り線の外径より小さくできる。したがって、単芯線電線１０は、車体の床下のような低背スペースに配索される。
【００１３】
露出した一方の端部１３における先端部は、偏平に成形されていて、後述する第１撚り線２１を導通可能に固着するための第１固着領域１４となっている。一方の端部１３のうち第１固着領域１４と単芯線用絶縁被覆１２との間の領域は、第１露出領域１５となっている。第１露出領域１５は、第１固着領域１４と第１撚り線２１とを超音波溶着によって固着するための自動機（図示省略）が単芯線用絶縁被覆１２と干渉するのを回避するために確保されている。
【００１４】
単芯線電線１０の他端部では、単芯線用絶縁被覆１２が除去され、単芯線１１の他方の端部１６が一定の長さに亘って露出している。露出した他方の端部１６における先端部は、偏平に成形されていて、後述する第２撚り線２４を導通可能に固着するための第２固着領域１７となっている。他方の端部１６のうち第２固着領域１７と単芯線用絶縁被覆１２との間の領域は、第２露出領域１８となっている。第２露出領域１８は、第２固着領域１７と第２撚り線２４とを超音波溶着によって固着するための自動機（図示省略）が単芯線用絶縁被覆１２と干渉するのを回避するために確保されている。
【００１５】
＜第１撚り線電線２０＞
第１撚り線電線２０は、銅又は銅合金製の金属素線を撚り合わせた円形断面の第１撚り線２１と、第１撚り線２１を包囲する円筒形の第１撚り線用絶縁被覆２２とを備えている。第１撚り線電線２０は、その軸線を屈曲又は湾曲させるような形態で比較的容易に変形し得るので、エンジンルーム内や車内リヤスペースのような狭いスペース内で屈曲した経路で配索される。第１撚り線電線２０における単芯線電線１０側の端部では、第１撚り線用絶縁被覆２２が除去され、第１撚り線２１の端部が、第１固着領域１４よりも少し長い範囲に亘って露出している。
【００１６】
第１撚り線２１の端部は、単芯線１１の第１固着領域１４に対し超音波溶着により、導通可能に且つ同軸状に固着されている。第２固着領域１７と第２撚り線２４との固着部分は、熱収縮チューブ等の防水手段（図示省略）により液密状に包囲されている。単芯線電線１０と第１撚り線電線２０の端部は、ほぼ同軸状をなして一直線状に接続されている。第１撚り線２１の材料である銅や銅合金は、単芯線１１の材料であるアルミニウム又はアルミニウム合金よりも電気抵抗率が低い。これにより、第１撚り線２１の外径は単芯線１１の外径とほぼ同じ寸法又は、単芯線１１の外径と大差ない寸法となっている。したがって、第１撚り線電線２０の外径は単芯線電線１０の外径とほぼ同じ寸法又は、単芯線電線１０の外径と大差ない寸法となっている。
【００１７】
＜第２撚り線電線２３＞
第２撚り線電線２３は、単芯線１１と同じくアルミニウム又はアルミニウム合金製の金属素線を撚り合わせた円形断面の第２撚り線２４と、第２撚り線２４を包囲する円筒形の第２撚り線用絶縁被覆２５とを備えている。第２撚り線電線２３は、その軸線を屈曲又は湾曲させるような形態で比較的容易に変形し得るので、エンジンルーム内や車内リヤスペースのような狭いスペース内で屈曲した経路で配索される。第２撚り線電線２３における単芯線電線１０側の端部では、第２撚り線用絶縁被覆２５が除去され、第２撚り線２４の端部が、第２固着領域１７よりも少し長い範囲に亘って露出している。
【００１８】
第２撚り線２４の端部は、単芯線１１の第２固着領域１７に対し超音波溶着により、導通可能に且つ同軸状に固着されている。第２固着領域１７と第２撚り線２４との固着部分は、熱収縮チューブ等の防水手段（図示省略）により液密状に包囲されている。単芯線電線１０と第２撚り線電線２３の端部は、ほぼ同軸状をなして一直線状に接続されている。第２撚り線２４の材料は単芯線１１の材料と同じであるから、第２撚り線２４の外径は単芯線１１の外径より大きい。したがって、第２撚り線電線２３の外径は、単芯線電線１０の外径より大きく、第２撚り線電線２３の外径よりも大きい。
【００１９】
＜パイプ２６＞
パイプ２６は、金属等のように単芯線１１よりも曲げ剛性の高い材料からなり、一直線状の円筒形部品である。パイプ２６の内径は、単芯線電線１０と第１固着領域１４と第１撚り線電線２０とを包囲可能な寸法であり、且つ第２撚り線電線２３の外径よりも小さい寸法である。パイプ２６の長さは、第１固着領域１４と第１露出領域１５との境界から、第２固着領域１７と第２露出領域１８との境界に至る長さと同等の寸法である。
【００２０】
パイプ２６は、単芯線電線１０の少なくとも一部を包囲する状態で、軸線方向に移動させることが可能である。即ち、パイプ２６は、単芯線電線１０のみを包囲する保護位置（図１を参照）と、単芯線電線１０の一部と、単芯線１１の一方の端部１３の全体と、第１撚り線電線２０の一部とを包囲する露出位置（図３を参照）との間で移動可能である。パイプ２６が露出位置にある状態では、単芯線１１の他方の端部１６の全体が露出する。
【００２１】
導電路を製造する際には、まず、図２に示すように、パイプ２６を単芯線電線１０、第１撚り線電線２０から外した状態で、単芯線１１の一方の端部１３（第１固着領域１４）に第１撚り線２１を固着する。次に、図３に示すように、パイプ２６を露出位置へ移動させて、単芯線１１の他方の端部１６を露出させ、この状態で、単芯線１１の他方の端部１６（第２固着領域１７）に第２撚り線２４を固着する。この後、露出位置のパイプ２６を保護位置まで移動させれば、導電路の製造が完了する。
【００２２】
第２撚り線２４を単芯線１１に固着する際には、パイプ２６を、第１撚り線２１が固着済みの第１固着領域１４側（露出位置）へ退避させる。そして、第２撚り線２４を単芯線１１に固着した後は、パイプ２６を露出位置から保護位置へ移動させる。露出位置のパイプ２６は、第１撚り線電線２０の一部を包囲する位置まで退避するので、単芯線１１だけを包囲する場合に比べて十分大きな退避量が確保される。
【００２３】
パイプ２６を露出位置から保護位置へ移動させるときには、単芯線電線１０のうちパイプ２６で包囲される領域が拡大するのであるが、本実施例では、パイプ２６が露出位置へ退避するときの退避寸法が大きいので、パイプ２６を保護位置に移動させたときには、単芯線電線１０を長い領域に亘ってパイプ２６で包囲して保護することができる。
【００２４】
また、単芯線１１はアルミニウム又はアルミニウム合金からなり、第１撚り線２１は銅又は銅合金からなっている。この材料選択の技術的意義は次の通りである。直列接続されて１本の導電路を構成する導体は電気抵抗が同じとなるように断面積が設定されることから、第１撚り線２１の外径は、同一材料の単芯線１１に比べて大きくなる。この点に鑑みて、第１撚り線２１の材料を、単芯線１１の材料であるアルミニウムやアルミニウム合金より電気抵抗率の小さい銅又は銅合金とした。これにより、第１撚り線電線２０の外径が小径化されるので、パイプ２６の外径も小さくすることができ、単芯線電線１０の配索に必要なスペースを低背化できる。
【００２５】
また、単芯線１１の一方の端部１３は、第１撚り線２１が固着された第１固着領域１４と、第１固着領域１４と単芯線用絶縁被覆１２との間の第１露出領域１５とを含んで露出した形態となっている。単芯線１１の他方の端部１６は、第２撚り線２４が固着された第２固着領域１７と、第２固着領域１７と単芯線用絶縁被覆１２との間の第２露出領域１８とを含んで露出した形態となっている。そして、パイプ２６が保護位置にある状態では、第１固着領域１４と第２固着領域１７のみがパイプ２６の外部に露出し、第１露出領域１５と第２露出領域１８は、パイプ２６に包囲されている。この構成によれば、第１撚り線電線２０と第２撚り線電線２３が曲げて配索されるときに、第１撚り線電線２０と第２撚り線電線２３がパイプ２６の端部と干渉せずに済む。
【００２６】
＜他の実施例＞
本発明は上記記述及び図面によって説明した実施例に限定されるものではなく、例えば次のような実施例も本発明の技術的範囲に含まれる。
（１）上記実施例では、第１撚り線の材料を銅又は銅合金としたが、第１撚り線の材料は、単芯線及び第２撚り線と同じくアルミニウム又はアルミニウム合金としてもよい。
（２）上記実施例では、単芯線と第２撚り線を同じ材料とし、第１撚り線を、単芯線及び第２撚り線と異なる材料としたが、単芯線と第１撚り線と第２撚り線を全て同一の材料としてもよく、単芯線と第１撚り線のみを同一材料としてもよく、第１撚り線と第２撚り線のみを同一材料としてもよい。
（３）上記実施例では、パイプが保護位置にある状態では、第１固着領域と第２固着領域のみがパイプの外部に露出しているが、パイプが保護位置にある状態で、第１固着領域と第２固着領域のうちいずれか一方の固着部のみがパイプの外部に露出してもよく、第１固着領域と第２固着領域の両方（つまり、単芯線電線の全長）がパイプで包囲されていてもよい。
【符号の説明】
【００２７】
１０…単芯線電線
１１…単芯線
１２…単芯線用絶縁被覆
１３…一方の端部
１４…第１固着領域
１５…第１露出領域
１６…他方の端部
１７…第２固着領域
１８…第２露出領域
２０…第１撚り線電線
２１…第１撚り線
２２…第１撚り線用絶縁被覆
２３…第２撚り線電線
２４…第２撚り線
２５…第２撚り線用絶縁被覆
２６…パイプ
【図１】
2018063764.tif 000003
【図２】
2018063764.tif 000004
【図３】
2018063764.tif 000005